(57)【要約】      （修正有）【課題】梱包状態においてはスパウトが外に露出することなく外箱内に隠れているために体裁が良好であり、また、外観的にスパウトが無いことから不正者に内容物について操作されるおそれがないため、セキュリティの高い運搬・保管に適するスパウト付き包装用箱を提供する。【解決手段】上面が内フラップ７と外フラップ９とで封じられる外箱１と、外箱に納まりスパウト５付きである内袋３とからなり、内フラップにＵ字型ないしコ字型等の反転線状の密な切込み１０を設けることにより、切込みの線状両端間がヒンジ１５となる下へ転倒可能なスパウト支持板を前記密な切込みの囲み内として形成し、該支持板には中央部にスパウトを貫通して取り付けてあり、また、スパウトの上を覆う外フラップに、スパウトをのぞく窓穴２１を開け得るように、反転線状に若しくは循環線状に切込線２３を設け、切込線の内側を開閉若しくは切除する窓扉２２とした。【選択図】図１
0003210491.tif 000002
【実用新案登録請求の範囲】
【請求項１】
上面が内フラップと外フラップとで封じられる外箱と、外箱に納まりスパウト付きである内袋とからなり、内フラップにＵ字型ないしコ字型等の反転線状の密な(切断面が密接する)切込みを設けることにより、切込みの線状両端間がヒンジとなる下へ転倒可能なスパウト支持板を前記密な切込みの囲み内として形成し、該支持板には中央部にスパウトを貫通して取り付けてあり、また、スパウトの上を覆う外フラップに、スパウトをのぞく窓穴を開け得るように、反転線状に若しくは循環線状に切抜線を設け、切抜線の内側を開閉若しくは切除する窓扉としたことを特徴とするスパウト付き包装用箱。
【請求項２】
支持板について反転線状の切抜線の両先端間に切込みを配列することによりヒンジが形成され、ヒンジを中心に窓扉が開閉可能であることを特徴とする請求項１記載のスパウト付き包装用箱。
【請求項３】
前記窓扉は、反転線状の切抜線において、窓扉の先端に突出する指掛可能な掛止爪と、この掛止爪がかかる係合部とを形成したことを特徴とする請求項１または2記載のスパウト付き包装用箱。
【請求項４】
外フラップにおいて、前記窓扉がヒンジを中心に反転可能に形成される一方、反転した掛止爪を差し込む切口を設けたことを特徴とする請求項１，２または３記載のスパウト付き包装用箱。
【請求項５】
外フラップにおいて、掛止爪を指掛のために押込み可能に爪を挟む両端位置に互いに平行な短切込みを形成したことを特徴とする請求項１，２，３または４記載のスパウト付き包装用箱。
【考案の詳細な説明】
【技術分野】
【０００１】
この考案は、段ボール等で組立てられる外箱に、液体や粉粒体等を内装するプラスチックフィルムないしシート等からなる内袋を一体化したスパウト付き包装用箱に関する。
【背景技術】
【０００２】
この種の箱については、内容物の吐出口としてのスパウトが内袋に直接取り付けられ、内袋がスパウトを介して外箱に連結されている。図７に示すように、従来、スパウトは外箱の外に突設されていたが、外箱から突出していると、箱の積み重ねに支障があるため、箱の上面に低い段差凹部５０を設け、スパウト５２の高さをそれだけ落として低く設定していた。なお、段差凹部は５０は、段ボールの組構造により形成されていた。
【考案の概要】
【考案が解決しようとする課題】
【０００３】
従来、スパウト付き包装用箱は、上記のようにスパウトが外に露出していたので、スマートさに欠けて体裁上問題があり、また、運搬中にスパウトが物に触れて不用意に開け、あるいは不正者により開けられたりするという危険があった。
【０００４】
上記のような実情に鑑みて、この考案は、梱包状態においてはスパウトが外に露出することなく外箱内に隠れているために体裁が良好であり、また、外観的にスパウトが無いことから不正者に内容物について操作されるおそれがないため、セキュリティの高い運搬・保管に適するスパウト付き包装用箱を提供することを課題とした。
【課題を解決するための手段】
【０００５】
上記の課題を解決するために、この考案は、上面が内フラップと外フラップとで封じられる外箱と、外箱に納まりスパウト付きである内袋とからなり、内フラップにＵ字型ないしコ字型等の反転線状の密な切込みを設けることにより、切込みの線状両端間がヒンジとなる下へ転倒可能なスパウト支持板を前記密な切込みの囲み内として形成し、該支持板には中央部にスパウトを貫通して取り付けてあり、また、スパウトの上を覆う外フラップに、スパウトをのぞく窓穴を開け得るように、反転線状に若しくは循環線状に切抜線を設け、切抜線の内側を開閉若しくは切除する窓扉としたことを特徴とするスパウト付き包装用箱を提供する。
【０００６】
スパウト付き包装用箱を上記のように構成したから、これを使用するには、内フラップに切込みの内側として形成されるスパウトの支持板を切り下ろすと、ヒンジを中心に傾斜し、その傾斜によりスパウトが押し込められるので、次いで内フラップの上に外フラップを閉じることができ、閉じのなかにスパウトが見えなく格納されることになる。また、内容物を取り出す段階では、外フラップの窓穴を開けてから、その窓穴から手を差し入れながらスパウトを引き上げて支持板を切込みに嵌めると、内フラップと面一に復帰するので、内フラップからスパウトが突出し状態となり、内容物の吐出に適した体勢となる。
【考案の効果】
【０００７】
以上説明したように、この考案のスパウト付き包装用箱によれば、梱包状態においてはスパウトが外に露出することなく外箱内に隠れているために体裁が良好であることはもちろん、スパウトに妨げられることなく有利に積み重ねることにより運搬・保管ができ、また、不正者にはスパウトを通して内容物が悪意に操作されることなく、セキュリティの高い運搬・保管に適するという優れた効果がある。
【図面の簡単な説明】
【０００８】
【図１】この考案のスパウト付き包装用箱を説明しやすく上端が半ば開き状態で示す斜視図である。
【図２】同スパウト付き包装用箱の梱包使用状態において示す斜視図である。
【図３】図２のＡ−Ａ線矢視の梱包使用状態断面図である。
【図４】図３の梱包使用状態から開封手始めとなる同図対応の断面図である。
【図５】内容物を取出し可能に開梱した状態を示す斜視図である。
【図６】同スパウト付き包装用箱の外箱の展開図である。
【図７】従来例を示す斜視図である。
【考案を実施するための形態】
【０００９】
図１ないし図６は、一実施例を示したもので、そのスパウト付き包装用箱Ｐは、段ボールで組み立てられる外箱１と、その外箱１に納まる風袋状の内袋３と、内袋３に吐出口として一体に備わっているスパウト５とからなる。
【００１０】
外箱１は、Ａ式段ボールであって(図６)、上端にはそれぞれ対において閉じ合わせる内フラップ７，７と外フラップ９，９が設けられ、そのうち、手前の一の内フラップ７に、スパウト５が貫通して取り付けられるが、その部分が落とし込み可能な支持板１１として細線状の密な切込み１０の囲みにより傾斜可能に形成される。
【００１１】
これについては、切込み１０は、内フラップ７の折線１３側に円弧ができる向きのＵ字型の反転形状であるとともに、その両端部がフラップ先端に幅狭くなるように並列に形成される。したがって、Ｕ字型の囲み内は切り抜かれると、Ｕ字型の両端間がヒンジ１５として曲がるので、抜けた部分が支持板１１となる。そして、その中心部にスパウト５の取付穴１７が設けられる。なお、ヒンジとして曲がる補助として粗い切込み１９，１９が配列される。
【００１２】
外フラップ９には、支持板１１に対応する箇所をスパウト５をのぞくための窓穴２１および窓扉２２とするもので、それには、同フラップ９にコ字型の密な切込線２３を形成し、切込線２３の両端の間を鎖線状の切込みにより、窓扉２２が開閉するヒンジ部２５として形成してある。
【００１３】
上記切込線２３の形状において、扉２２の先端部当たりに爪２７を突設するとともにその両端から爪幅の間隔に平行な短切込み２９，２９を設け、フラップ側には爪受け３１を設けてある。また、同外フラップ９には、ヒンジ２５を中心に反転させた窓扉２２の爪２７が差し込まれる爪止３３が設けられる。
【００１４】
次に、上記スパウト付き包装用箱の使用要領について説明する。
（１）図２及び図３は、輸送する内容物が充填された内袋３が外箱１に納められた梱包状態を示したもので、この状態において出荷され、トラックや飛行機などの輸送手段に搬入される。矩形の立方体であって凸凹していないため、輸送・保管において整然と積み込むことができる。また、スパウト５が露出していないので、外来者が内容物を不正に出したりすることがなく、また、窓扉２２を開くとその跡が残るので、不正の有無を追及できる。なお、窓扉２２をテープで封緘しておくこともできる。
（２）運搬先の現地において、内容物を取り出すために、まず窓穴２１を開くときには、揺動爪２７を親指で押しその内側に指掛けながら窓扉２２を引き上げる（図３）。
（３）窓穴２１をのぞくと内部のスパウト５が見えるが、後の作業をなしやすく伏せておくため、窓扉２２を反転させて爪２７を爪止３３に差し込み、窓扉２２を外フラップ９の上に仕舞うことができる（図４）。
（４）図５は、最終的に開梱した状態、つまりスパウト５の突出した形態としたもので、これには窓穴２１からスパウト５を手で捉えることにより引き出しながら、切込み１０の中に支持板１１を引き上げて復帰させる。そうすると、形状の一致により支持板１１が内フラップ７に面一に定着してスパウト５が固定するので、キャップ３５を外して箱Ｐを傾けながら内容物をスパウト５から吐出させることができる。
【符号の説明】
【００１５】
Ｐ  スパウト付き包装用箱
１  外箱
３  内袋
５  スパウト
７  内フラップ
９  外フラップ
１０  切込み
１１  支持板
１５  ヒンジ
１９  切込み
２１  窓穴
２２  窓扉
２３  切込線
２５  ヒンジ
２７  爪
２９  短切込み
３１  爪受け
３３  爪止
【図１】
0003210491.tif 000003
【図２】
0003210491.tif 000004
【図３】
0003210491.tif 000005
【図４】
0003210491.tif 000006
【図５】
0003210491.tif 000007
【図６】
0003210491.tif 000008
【図７】
0003210491.tif 000009